(57)【要約】【課題】カラーコピー機や回折格子画像作成装置では偽造できないホログラムを用いた立体的なマイクロパターン表示体。【解決手段】ホログラム中に、多数の微小なマイクロ文字Ａ〜Ｚあるいは幾何学的なマイクロ図形の３次元集合体からなり、それら多数の微小なマイクロ文字あるいは幾何学的なマイクロ図形が３次元的に集合して特定の立体形状体（円柱状体）を構成するように配置されてなる立体像が再生可能に記録されてなる立体マイクロパターン表示体。【選択図】　　　　図１
2004138688.tif 000002
【特許請求の範囲】
【請求項１】
ホログラム中に、多数の微小なマイクロ文字あるいは幾何学的なマイクロ図形の３次元集合体からなり、それら多数の微小なマイクロ文字あるいは幾何学的なマイクロ図形が３次元的に集合して特定の立体形状体を構成するように配置されてなる立体像が再生可能に記録されてなることを特徴とする立体マイクロパターン表示体。
【請求項２】
計算機合成ホログラムとして記録されていることを特徴とする請求項１記載の立体マイクロパターン表示体。
【請求項３】
物体表面を点光源又は線光源の集合で置き換える方法で記録されていることを特徴とする請求項２記載の立体マイクロパターン表示体。
【請求項４】
ホログラフィック・ステレオグラムの方法で記録されていることを特徴とする請求項２記載の立体マイクロパターン表示体。
【請求項５】
前記微小なマイクロ文字あるいは幾何学的なマイクロ図形の大きさが３００μｍ以下であることを特徴とする請求項１から４の何れか１項記載の立体マイクロパターン表示体。
【請求項６】
前記の多数の微小なマイクロ文字あるいは幾何学的なマイクロ図形の３次元集合体は、裸眼で見るときに全体として特定の立体形状体に見えるように記録されていることを特徴とする請求項１から５の何れか１項記載の立体マイクロパターン表示体。
【請求項７】
前記特定の立体形状体が円柱状体であることを特徴とする請求項１から６の何れか１項記載の立体マイクロパターン表示体。
【請求項８】
前記特定の立体形状体が球状体であることを特徴とする請求項１から６の何れか１項記載の立体マイクロパターン表示体。
【請求項９】
前記特定の立体形状体が多面体であることを特徴とする請求項１から６の何れか１項記載の立体マイクロパターン表示体。
【請求項１０】
前記特定の立体形状体が錐体であることを特徴とする請求項１から６の何れか１項記載の立体マイクロパターン表示体。
【請求項１１】
前記特定の立体形状体が螺旋状体であることを特徴とする請求項１から６の何れか１項記載の立体マイクロパターン表示体。
【請求項１２】
前記特定の立体形状体が竜巻状体であることを特徴とする請求項１から６の何れか１項記載の立体マイクロパターン表示体。
【請求項１３】
前記の３次元的に集合して特定の立体形状体を構成するように配置される前記マイクロ文字あるいは幾何学的なマイクロ図形は、前記特定の立体形状体の表面に螺旋状に配置されていることを特徴とする請求項１から１２の何れか１項記載の立体マイクロパターン表示体。
【請求項１４】
前記の３次元的に集合して特定の立体形状体を構成するように配置される前記マイクロ文字あるいは幾何学的なマイクロ図形は、前記特定の立体形状体の表面に同心円状あるいは輪切りにした帯上に配置されていることを特徴とする請求項１から１２の何れか１項記載の立体マイクロパターン表示体。
【請求項１５】
前記の３次元的に集合して特定の立体形状体を構成するように配置される前記マイクロ文字あるいは幾何学的なマイクロ図形の個々のパターンとして、厚みのあるものとないものが混在していることを特徴とする請求項１から１４の何れか１項記載の立体マイクロパターン表示体。
【請求項１６】
前記特定の立体形状体の手前側に位置する前記マイクロ文字あるいは幾何学的なマイクロ図形の個々のパターン程相対的に大きく形成されていることを特徴とする請求項１から１５の何れか１項記載の立体マイクロパターン表示体。
【請求項１７】
前記の３次元的に集合して特定の立体形状体を構成するように配置される前記マイクロ文字あるいは幾何学的なマイクロ図形は、個々にあるいは部分的な集合として異なる色で再生されるように記録されていることを特徴とする請求項１から１６の何れか１項記載の立体マイクロパターン表示体。
【請求項１８】
請求項１から１７の何れか１項記載の立体マイクロパターン表示体を設けたことを特徴とする書類。
【発明の詳細な説明】
【０００１】
【発明の属する技術分野】
本発明は、立体マイクロパターン表示体に関し、特にホログラムを用いて偽造防止効果を高めた立体マイクロパターン表示体に関するものである。
【０００２】
【従来の技術】
従来、証券、紙幣等の金券に、偽造防止のために印刷によるマイクロ文字が使われている。しかし、カラーコピー機の高解像度化、色再現性の向上により、こうした金券が偽造されることが増えてきた。
【０００３】
また、偽造防止性を高めるために、回折格子を用いたマイクロ文字も実用化している。回折格子によるマイクロ文字は、２次元画像ではあるが高解像度であるため、高度な偽造防止手段として利用されることが多い。しかし、従来高度な偽造防止技術と思われていた回折格子のマイクロ文字も、現在では、顕微鏡による観察によって記録されているパターンが分かり、また、レーザー２光束干渉による回折格子画像作成装置が普及してきたため、偽造が増えてきた。
【０００４】
ところで、従来、立体像が再生可能な計算機合成ホログラム（ＣＧＨ）が知られており、そのようなＣＧＨの作成手法には、概略２つの方法があり、その１つは非特許文献１、２等で知られた物体表面を点光源又は線光源の集合で置き換える方法である。もう１つは、特許文献１、非特許文献３等で知られたホログラフィック・ステレオグラムの方法である。
【０００５】
ここで、代表的なものとして、前者の物体表面を点光源又は線光源の集合で置き換える方法を説明する。
【０００６】
ＣＧＨの例として、干渉縞の強度分布を記録したバイナリホログラムであって、再生像が水平方向の視差のみを持ち、上方からの白色光で観察される場合について、その概要を説明すると、図７に示すように、ステップＳＴ１で、ＣＧＨ化する物体の形状の定義される。次いで、ステップＳＴ２で、物体、ＣＧＨ面、参照光の空間配置が定義される。次いで、ステップＳＴ３で、物体は、水平面でのスライスにより垂直方向に分割され、さらにスライス面上で点光源（線光源）の集合に置き換えられる。そして、ステップＳＴ４で、これらの空間配置に基き、ＣＧＨ面上に定義された各サンプル点において、物体を構成する各点光源（線光源）から到達する光と参照光との干渉縞の強度が演算により求められ、干渉縞データが得られる。次に、ステップＳＴ５で、得られた干渉縞データは量子化された後、ステップＳＴ６で、ＥＢ描画用矩形データに変換され、ステップＳＴ７で、ＥＢ描画装置により媒体に記録され、ＣＧＨが得られる。
【０００７】
この干渉縞の計算の際に、隠面消去処理が行われる。この隠面消去処理とは、ある視点から物体を観察したときに、手前の物体に隠される部分を見えないようにする処理であり、この処理により物体の重なり合いの情報が網膜像に付加され、立体感を得ることができる処理であり、ＣＧＨ記録の場合に、次の手順により隠面消去処理が施される。
【０００８】
図８に示すように、物体１を構成する各点光源毎に、その点光源が物体１、２で隠される領域（図８の斜線部）を求める。図７の手順で作成されるＣＧＨの場合は、物体１、２は水平面でスライスされ、かつ、水平方向にのみ視差を有しているため、物体１の点光源の物体１、２で隠される領域は各スライス面上での点と線分との位置関係により求められる。ＣＧＨ面上に分布する干渉縞のサンプル点が、上記で求めた点光源が隠される領域に含まれる場合（図８の黒丸部）には、そのサンプル点においてその点光源を干渉縞強度の計算対象から除外するのが、隠面消去処理である。このような処理を施したＣＧＨの再生された物体１の像からは、図８の斜線部に再生光が回折されず、その領域に観察者の視点が入った場合、その点光源に対応する物体１の領域は物体２の像で隠されて見えなくなる。
【０００９】
なお、このような物体表面を点光源の集合で置き換える方法によるＧＧＨにおいて、白色光で再生した場合にカラーを再現するものも、特許文献２で提案している。
【００１０】
ところで、本発明者は、特願２００１−３６５６２８号において、このような立体像を再生するＣＧＨにおいて、真贋判定情報であるマイクロ文字が、裸眼で認識容易な大きさの遮蔽物体の背後に配置され、所定方向の観察ではマイクロ文字は遮蔽物体で遮蔽されて観察できず、その所定方向と異なる別の方向から観察可能に記録されているようにして、偽造者によるマイクロ文字の発見が難しい「隠しマイクロ文字」を提案した。その代表的なものを図９を用いて説明すると、図９に示すように、真贋判定情報である裸眼で分解困難な大きさ、具体的には最大寸法が３００μｍ以下の文字形態等の微小物体１１を観察者Ｅが正面（通常の観察方向）から観察できないように、微小物体１１を正面から見て覆い隠すことのできる位置に、微小物体１１より大きく裸眼で認識容易な大きさの遮蔽物体１２を微小物体１１の手前（観察側）に配置してＣＧＨ１０に記録する。そのためには、微小物体１１を表現する点光源の集合に上記隠面消去処理が行われ、少なくとも、微小物体１１からの光は、図９の直線２１Ｌと直線２１Ｒの間には微小物体１１からの再生光が回折されないように記録される。ここで、直線２１Ｌは微小物体１１の左端と遮蔽物体１２の左端を通る直線、直線２１Ｒは微小物体１１の右端と遮蔽物体１２の右端を通る直線であり、その直線２１Ｌと直線２１Ｒの間に正面方向が含まれる。なお、図中、直線２２Ｌは、微小物体１１の左端から左側上方へ引いた直線で、その直線より左側の領域には微小物体１１の左端からの再生光が回折されない境界を示し、また、直線２２Ｒは、微小物体１１の右端から右側上方へ引いた直線で、その直線より右側の領域には微小物体１１の右端からの再生光が回折されない境界を示す。
【００１１】
ここで、微小物体１１の物体光の右側の放射角γ２　が、微小物体１１の右端と遮蔽物体１２の右端とを結んだ直線２１Ｒの正面方向からの角度β２　よりも大きく、微小物体１１の物体光の左側の放射角γ３　が、微小物体１１の左端と遮蔽物体１２の左端とを結んだ直線２１Ｌの正面方向からの角度β３　よりも大きく設定されており、微小物体１１の一部又は全部が見える角度範囲は、図９から、γ２　−β２　＋γ３　−β３　となる。これに対して、微小物体１１が遮蔽物体１２で隠される角度範囲は、β２　＋β３　となる。
【００１２】
このようなＣＧＨによれば、仮に適切な照明光を照射したとしても、記録されている真贋判定情報（微小物体１１）が肉眼で認識困難な程小さいので、その真贋判定情報の存在が気付かれ難く、さらに、ルーペ等で拡大して観察しても、通常の観察方向である正面からは真贋判定情報の存在が気付かれ難くいので、真贋判定情報の秘匿性が一層高まり、偽造の危険性が減少する。
【００１３】
このようなＣＧＨにおいては、真贋を判定する際には、適切な照明をホログラムに照射し、ルーペ等を用いて拡大し、正面以外の所定の方向から観察すると、真贋判定情報（微小物体１１）が現れ、通常の方向である正面に観察位置を移動した場合には、その真贋判定情報１１が遮蔽物１２に隠れて見えなくなることで確認することができる。
【００１４】
【特許文献１】
特許第３，１５５，２６３号公報
【００１５】
【特許文献２】
特開２０００−２１４７５１号公報
【００１６】
【非特許文献１】
「画像ラボ」１９９７年４月号（Ｖｏｌ．８，Ｎｏ．４）３４〜３７頁
【００１７】
【非特許文献２】
「３次元画像コンファレンス‘９９−３Ｄ　Ｉｍａｇｅ　Ｃｏｎｆｅｒｅｎｃｅ‘９９−」講演論文集ＣＤ−ＲＯＭ（１９９９年６月３０日〜７月１日　工学院大学新宿校舎）、論文「ＥＢ描画によるイメージ型バイナリＣＧＨ（３）−隠面消去・陰影付けによる立体感の向上−」
【００１８】
【非特許文献３】
ホログラフィック・ディスプレイ研究会（日本光学会、応用物理学会）主催「第３回Ｈｏｄｉｃ講演会講演論文集」（平成８年１１月１５日、日本大学駿河台キャンパス１号館第二会議室）、論文「ホログラフィック・ステレオグラムのための２次元画像列生成の高速化」
【００１９】
【発明が解決しようとする課題】
前記したように、従来のマイクロ文字等の真贋判定情報（マイクロパターン表示体）では偽造が容易で偽造が増えてきている。
【００２０】
本発明は従来技術のこのような問題点に鑑みてなされたものであり、その目的は、カラーコピー機や回折格子画像作成装置では偽造できないホログラムを用いた立体的なマイクロパターン表示体を提供することである。
【００２１】
【課題を解決するための手段】
上記目的を達成する本発明の立体マイクロパターン表示体は、ホログラム中に、多数の微小なマイクロ文字あるいは幾何学的なマイクロ図形の３次元集合体からなり、それら多数の微小なマイクロ文字あるいは幾何学的なマイクロ図形が３次元的に集合して特定の立体形状体を構成するように配置されてなる立体像が再生可能に記録されてなることを特徴とするものである。
【００２２】
この場合に、計算機合成ホログラムとして記録することが望ましい。そのような計算機合成ホログラムは、物体表面を点光源又は線光源の集合で置き換える方法や、ホログラフィック・ステレオグラムの方法で記録できる。
【００２３】
また、微小なマイクロ文字あるいは幾何学的なマイクロ図形の大きさが３００μｍ以下であることが望ましい。
【００２４】
また、多数の微小なマイクロ文字あるいは幾何学的なマイクロ図形の３次元集合体は、裸眼で見るときに全体として特定の立体形状体に見えるように記録されていることが望ましい。
【００２５】
また、その特定の立体形状体としては、円柱状体、球状体、多面体、錐体、螺旋状体、竜巻状体等が例示できる。
【００２６】
また、３次元的に集合して特定の立体形状体を構成するように配置されるマイクロ文字あるいは幾何学的なマイクロ図形は、特定の立体形状体の表面に螺旋状に配置されていても、特定の立体形状体の表面に同心円状あるいは輪切りにした帯上に配置されていてもよい。
【００２７】
また、３次元的に集合して特定の立体形状体を構成するように配置されるマイクロ文字あるいは幾何学的なマイクロ図形の個々のパターンとして、厚みのあるものとないものが混在していてもよい。
【００２８】
また、特定の立体形状体の手前側に位置するマイクロ文字あるいは幾何学的なマイクロ図形の個々のパターン程相対的に大きく形成されているようにすることもできる。
【００２９】
また、３次元的に集合して特定の立体形状体を構成するように配置されるマイクロ文字あるいは幾何学的なマイクロ図形は、個々にあるいは部分的な集合として異なる色で再生されるように記録されているものとすることができる。
【００３０】
なお、本発明は以上の立体マイクロパターン表示体を設けた書類を含むものである。
【００３１】
本発明においては、ホログラム中に、多数の微小なマイクロ文字あるいは幾何学的なマイクロ図形の３次元集合体からなり、それら多数の微小なマイクロ文字あるいは幾何学的なマイクロ図形が３次元的に集合して特定の立体形状体を構成するように配置されてなる立体像が再生可能に記録されてなるので、全体を見たときに肉眼で認識容易な立体形状体が見えるが、それを構成するマイクロ文字、幾何学的なマイクロ図形は見え難く、偽造防止効果を維持しながら、肉眼による真贋判定も容易となる。また、微小なマイクロ文字あるいは幾何学的なマイクロ図形が空間に浮かんだ状態で配置されることになるので、模型の作成が極めて困難なため、模型を作成しレーザー光で撮影する通常の２光束干渉によるホログラム撮影での偽造が難しい。さらに、立体形状体の奥側の部分のマイクロ文字又は幾何学的なマイクロ図形はその前方に位置する別のマイクロ文字又は幾何学的なマイクロ図形が遮蔽物体として機能することになり、ルーペ等の拡大観察手段で拡大して観察しても、通常の観察方向ではその存在が気付かれ難く、さらに、カラーコピー機ではこの情報が複写できず、さらには、回折格子画像作成装置では偽造できないので、偽造防止効果が飛躍的に高まる。
【００３２】
【発明の実施の形態】
以下、本発明の立体マイクロパターン表示体の基本原理と実施例を説明する。
【００３３】
マイクロ文字あるいは幾何学的なマイクロ図形は、文字、図形の構造が肉眼で観察困難な程小さいので、偽造防止効果は高いが、同時に、肉眼による真贋判定が難しいという課題がある。そこで、本発明においては、多数のマイクロ文字あるいは幾何学的なマイクロ図形が空間に立体的に配置されており、その多数のマイクロ文字あるいは幾何学的なマイクロ図形が、全体を見たときに肉眼で認識容易な立体形状体をなすように配置することで、マイクロ文字、幾何学的なマイクロ図形の偽造防止効果を維持しながら、肉眼による真贋判定も容易となる。
【００３４】
また、微小なマイクロ文字あるいは幾何学的なマイクロ図形が空間に浮かんだ状態で配置されることになるので、模型の作成が極めて困難なため、模型を作成しレーザー光で撮影する従来のタイプでのホログラムでの偽造が難しい。
【００３５】
具体的には、例えば、図７のステップＳＴ１において、コンピュータグラフィックス用の３Ｄ−ＣＡＤで立体的なマイクロ文字あるいは幾何学的なマイクロ図形を、全体として見たときに肉眼で認識可能な立体構造体（立体形状体）となるように原画を精密に作成し、次いで、ステップＳＴ２で、その立体構造体、ＣＧＨ面、参照光の空間配置を定義し、次いで、ステップＳＴ３で、そのマイクロ文字、幾何学的なマイクロ図形を点又は線状の光源の集合に置き換え、図８の隠面消去処理を施しながら、ステップＳＴ４で、これらの空間配置に基き、ＣＧＨ面上に定義された各サンプル点において、立体構造体のマイクロ文字あるいは幾何学的マイクロ図形を構成する各点光源又は線光源から到達する光と参照光との干渉縞の強度が演算により求めて干渉縞データが得られる。次に、ステップＳＴ５で、得られた干渉縞データを量子化した後、ステップＳＴ６で、ＥＢ描画用矩形データに変換して、ステップＳＴ７で、ＥＢ描画装置により媒体に記録することにより、物体表面を点光源又は線光源の集合で置き換える方法を利用して作成されたＣＧＨからなる本発明の立体マイクロパターン表示体が得られる。
【００３６】
上記の多数のマイクロ文字あるいは幾何学的なマイクロ図形が空間に立体的に配置されており、その多数のマイクロ文字あるいは幾何学的なマイクロ図形が、全体を見たときに肉眼で認識容易な立体形状体をなすように配置されてなる立体像の具体例としては、図１に示すような円柱状体、図２に示すような球状体、図３に示すような多面体（図の場合は三角錐）、図４に示すような円錐体（同心円状体）、図５に示すようなつる巻きバネ状体（螺旋状体）、図６に示すような竜巻状体（中心軸がうねっている）等があげられる。
【００３７】
図１の円柱状体の場合、上下の底面を除く周囲の円筒面の輪切りにした帯の上にアルファベットの大文字のＡからＺまでの微小なマイクロ文字を順に連続的に配置して全体として円筒面を形成するようにしている。
【００３８】
図２の球状体の場合は、球面上の輪切りにした帯の上にこの場合は比較的粗にアルファベットの大文字のＡからＺまでの微小なマイクロ文字を順に連続的に配置して全体として球面を形成するようにしている。
【００３９】
図３の多面体（四面体）の場合は、四面体の１面（底面）を除く３面の輪切りにした帯の上にアルファベットの大文字のＡからＺまでの微小なマイクロ文字を順に連続的に配置して全体として四面体を形成するようにしている。この例の場合は、マイクロ文字の大きさが三角錐の頂点に近づく程小さくなるようにしている。
【００４０】
図４に示すような円錐体の場合も、底面を除く周囲の面の輪切りにした帯の上にアルファベットの大文字のＡからＺまでの微小なマイクロ文字を順に連続的に配置して全体として円錐を形成するようにしている。この例の場合も、マイクロ文字の大きさが円錐の頂点に近づく程小さくなるようにしている。
【００４１】
図５に示す螺旋状体の場合は、螺旋の線に沿ってアルファベットの大文字のＡからＺまでの微小なマイクロ文字を順に連続的かつ循環的に配置して全体としてつる巻きバネ状体を形成するようにしている。
【００４２】
図６の竜巻状体の場合は、竜巻の線に沿ってアルファベットの大文字のＡからＺまでの微小なマイクロ文字を順に連続的かつ循環的に配置して全体として中心軸がうねる竜巻状体を形成するようにしている。
【００４３】
図１〜図６に例示した何れの立体形状体の場合も、その表面にアルファベットの大文字のＡからＺまでの微小なマイクロ文字が連続して配置されており、それらのマイクロ文字の全体の外形が肉眼で認識容易な立体形状体を構成している。なお、マイクロ文字の代わりに各種の幾何学的なマイクロ図形だけをあるいはマイクロ文字と混合して用いてもよい。
【００４４】
なお、マイクロ文字あるいは幾何学的なマイクロ図形を連続して配置する場合、図５、図６のように立体形状体の表面に螺旋状に配置するよりは、図１〜図４のように、同心円状あるいは輪切りにした帯上に配置する方が立体感が増すものである。
【００４５】
また、立体形状体を構成するマイクロ文字や幾何学的なマイクロ図形の個々のパターンとして、厚みのあるもの（図４、図５）とないもの（図２、図３）が混在していると、立体形状体を模型で作ることが極めて困難なため、模型を作成しレーザー光で撮影する従来のタイプでのホログラムでの偽造が難しくなる。
【００４６】
さらには、立体形状体の手前側に位置するマイクロ文字や幾何学的なマイクロ図形の個々のパターン程相対的に大きくすることにより、遠近法での飛び出し感が強調されるためより望ましい。
【００４７】
なお、上記のような肉眼で認識容易な立体形状体としては、上記の図１〜図６に例示するようなものにに限定されず、幾何学的な立体構造体であればいかなるものでもよい。例えば、立体形状体として「波紋」形状とすることができる。
【００４８】
これらの例示のような構成とすると、図９で説明したように、このマイクロ文字又は幾何学的なマイクロ図形が真贋判定情報として機能し、それらの前方に位置する別のマイクロ文字又は幾何学的なマイクロ図形が遮蔽物体として機能することになり、所定方向、例えば正面方向からの観察では一部のマイクロ文字又は幾何学的なマイクロ図形が別のマイクロ文字又は幾何学的なマイクロ図形で遮蔽されて完全には観察できず、その所定方向と異なる別の方向、例えば斜め方向からは正面方向からの観察では遮蔽されていたマイクロ文字又は幾何学的なマイクロ図形が観察可能になり、一層偽造が困難な立体マイクロパターン表示体となり、セキュリティ性が向上する。
【００４９】
上記のような肉眼で認識容易な立体形状体を構成するマイクロ文字又は幾何学的なマイクロ図形は、裸眼で分解困難な大きさで記録される方が偽造防止のための立体マイクロパターン表示体としては有効であり、具体的には各マイクロ文字又は幾何学的なマイクロ図形の寸法が３００μｍ以下であることが望ましい。
【００５０】
そして、裸眼で見るとき、立体形状体は全体として１つの立体形状体に見えるように記録されることが望ましい。
【００５１】
また、立体形状体を構成するマイクロ文字、幾何学的なマイクロ図形は、個々にあるいは部分的な集合として異なる色で再生されるように記録することも望ましい。そのための１つの手法として、例えば特許文献２で提案している方法を用いることができる。
【００５２】
なお、本発明の立体マイクロパターン表示体を構成するホログラムは、図１〜図６に例示したような立体形状体をを模型で構成し、通常の２光束干渉によるホログラム撮影方法によっても作成することができるが、特にマイクロ文字、幾何学的なマイクロ図形の寸法が３００μｍ以下であるため、通常のホログラム撮影方法では容易でなく、上記のように計算機合成によって作成することがより望ましい。
【００５３】
なお、本発明は、このような本発明による立体マイクロパターン表示体を転写箔あるいはラベルとして構成し、これを転写あるいは貼り付けた証券、紙幣等の書類を含むものである。
【００５４】
以上、本発明の立体マイクロパターン表示体をその原理と実施例に基づいて説明してきたが、これらの実施例等に限定されず種々の変形が可能である。
【００５５】
【発明の効果】
以上の説明から明らかなように、本発明の立体マイクロパターン表示体によると、ホログラム中に、多数の微小なマイクロ文字あるいは幾何学的なマイクロ図形の３次元集合体からなり、それら多数の微小なマイクロ文字あるいは幾何学的なマイクロ図形が３次元的に集合して特定の立体形状体を構成するように配置されてなる立体像が再生可能に記録されてなるので、全体を見たときに肉眼で認識容易な立体形状体が見えるが、それを構成するマイクロ文字、幾何学的なマイクロ図形は見え難く、偽造防止効果を維持しながら、肉眼による真贋判定も容易となる。また、微小なマイクロ文字あるいは幾何学的なマイクロ図形が空間に浮かんだ状態で配置されることになるので、模型の作成が極めて困難なため、模型を作成しレーザー光で撮影する通常の２光束干渉によるホログラム撮影での偽造が難しい。さらに、立体形状体の奥側の部分のマイクロ文字又は幾何学的なマイクロ図形はその前方に位置する別のマイクロ文字又は幾何学的なマイクロ図形が遮蔽物体として機能することになり、ルーペ等の拡大観察手段で拡大して観察しても、通常の観察方向ではその存在が気付かれ難く、さらに、カラーコピー機ではこの情報が複写できず、さらには、回折格子画像作成装置では偽造できないので、偽造防止効果が飛躍的に高まる。
【図面の簡単な説明】
【図１】本発明による立体マイクロパターン表示体に用いる立体像の１例としての円柱状体を示す斜視図である。
【図２】本発明による立体マイクロパターン表示体に用いる立体像の１例としての球状体を示す斜視図である。
【図３】本発明による立体マイクロパターン表示体に用いる立体像の１例としての多面体を示す斜視図である。
【図４】本発明による立体マイクロパターン表示体に用いる立体像の１例としての円錐体を示す斜視図である。
【図５】本発明による立体マイクロパターン表示体に用いる立体像の１例としてのつる巻きバネ状体を示す斜視図である。
【図６】本発明による立体マイクロパターン表示体に用いる立体像の１例としての竜巻状体を示す斜視図である。
【図７】物体表面を点光源又は線光源の集合で置き換える方法によるＣＧＨの作成過程の概要を説明するためのフロー図である。
【図８】ＣＧＨ記録の隠面消去処理を説明するための図である。
【図９】先願による真贋判定情報が記録されたＣＧＨの微小物体、遮蔽物体、物体光範囲を説明するための図である。
【符号の説明】
Ｅ…観察者
１０…ＣＧＨ
１１…微小物体
１２…遮蔽物体
２１Ｌ…微小物体の左端と遮蔽物体の左端を通る直線
２１Ｒ…微小物体の右端と遮蔽物体の右端を通る直線
２２Ｌ…微小物体の左端からの再生光が回折されない境界を示す直線
２２Ｒ…微小物体の右端からの再生光が回折されない境界を示す直線
【図１】
2004138688.tif 000003
【図２】
2004138688.tif 000004
【図３】
2004138688.tif 000005
【図４】
2004138688.tif 000006
【図５】
2004138688.tif 000007
【図６】
2004138688.tif 000008
【図７】
2004138688.tif 000009
【図８】
2004138688.tif 000010
【図９】
2004138688.tif 000011